(57)【特許請求の範囲】
【請求項１】
客の注文データを入力して無線送信する複数のＰＯＳ端末と、前記ＰＯＳ端末から受信した注文データを処理する制御手段とを備えたＰＯＳシステムにおいて、
前記ＰＯＳ端末はそれぞれに割り当てられた呼出符号を備え、注文データを無線送信する際に前記呼出符号を送信し、
前記制御手段は前記ＰＯＳ端末のメニューデータの更新時やプログラムデータの更新時に読み出された前記ＰＯＳ端末の呼出符号を呼出符号登録ファイルに登録し、前記ＰＯＳ端末からの注文データの送信時に送信された呼出符号が前記呼出符号登録ファイルに登録されているかどうかを判別し、登録されていれば受信した注文データの処理を行い、登録されていなければ前記ＰＯＳ端末に未登録である旨を知らせる未登録情報を送信する
ことを特徴とするＰＯＳシステム。
【請求項２】
客の注文データを入力して無線送信する複数のＰＯＳ端末と、前記ＰＯＳ端末から受信した注文データを処理する制御手段とを備えたＰＯＳシステムにおいて、
前記ＰＯＳ端末はそれぞれに割り当てられた呼出符号を備え、注文データを無線送信するに先立って前記呼出符号を送信し、
前記制御手段は前記ＰＯＳ端末のメニューデータの更新時やプログラムデータの更新時に読み出された前記ＰＯＳ端末の呼出符号を呼出符号登録ファイルに登録し、前記ＰＯＳ端末からの注文データ送信に先立って送信された呼出符号が前記呼出符号登録ファイルに登録されているかどうかを判別し、登録されていれば呼出符号の後に受信した注文データの処理を行い、登録されていなければ前記ＰＯＳ端末に未登録である旨を知らせる未登録情報を送信する
ことを特徴とするＰＯＳシステム。
【請求項３】
前記ＰＯＳ端末は前記未登録情報を受信すると登録操作を促すアラームを備えることを特徴とする請求項１または２記載のＰＯＳシステム。
【発明の詳細な説明】
【０００１】
【発明の属する技術分野】
この発明は、レストラン等の飲食店において、客からの注文をＰＯＳ端末に入力し、入力された注文データをＰＯＳシステム側に向けて送信し、厨房出力や会計処理データとして利用するＰＯＳシステムに関する。
【０００２】
【従来の技術】
従来、飲食店等で使用されるＰＯＳシステムとして、例えば図４に示す構成のものが知られている。図において、１は客からの注文を入力し、ＰＯＳシステム側に向けて無線で送信を行うＰＯＳ端末、５はこのＰＯＳ端末からのデータを受信するための通信手段、２は前記ＰＯＳ端末１と直接接続し、メニューデータや新しいプログラムデータのインストール等を行うステーション、６は出力装置の管理やシステムのデータ管理等を行う制御手段、３は入力された客の注文データから変換された会計データにより、会計処理を行うＰＯＳ、４は厨房に設置され注文データの出力等を行う、プリンタなどの出力装置である。
【０００３】
この様なシステムにおいて、レストラン等ではその従業員がＰＯＳ端末１を携帯し、客からの注文をこのＰＯＳ端末１のキーボード等による入力手段１３から入力する。入力された注文データは、ＬＣＤ等の表示手段１４により確認することができる。そして、内蔵する通信手段により入力された注文データをＰＯＳシステム側の通信手段５に向けて無線送信する。
【０００４】
通信手段５に入力された注文データは、通信線７を介して制御手段６に送られる。制御手段６では、注文データから厨房などにある出力手段４に出力するための印字データや、ＰＯＳ３での会計データを作成し、それぞれ必要に応じて送出する。ＰＯＳ３では会計データを基に会計処理を行い、厨房では出力手段４から出力される印字データにより、注文された料理を作成する。なお、より簡易なシステムでは、制御装置６とＰＯＳ３とを一体として用いる。
【０００５】
【発明が解決しようとする課題】
ところで、このようなＰＯＳシステムに使用されるＰＯＳ端末１は、客の注文を入力するため、最新のメニューデータを備えておく必要がある。また、必要に応じ、その他のデータやプログラムの更新を行う必要もある。しかしながら、ＰＯＳ端末は複数使用され、また、何度も更新された場合果たして最新のものか否かが不明確となり、更新の際に、更新漏れを生ずるおそれがある。また、小型であるＰＯＳ端末は紛失しやすく、紛失しても多くの台数が使用されているため発見し難い。
【０００６】
この発明はかかる点に鑑みなされたもので、その目的とするところは、メニューデータ、あるいは、その他のデータやプログラムの更新を漏れなく確実に行え、しかも在数の管理の容易なＰＯＳシステムを提供することにある。
【０００７】
【課題を解決するための手段】
上記課題を解決するため、本発明は、客の注文データをニュー力して無線送信する複数のＰＯＳ端末１と、前記ＰＯＳ端末１から受信した注文データを処理する制御手段６とを備えたＰＯＳシステムにおいて、
前記ＰＯＳ端末１はそれぞれに割り当てられた呼出符号を備え、注文データを無線送信する際に前記呼出符号を送信し、前記制御手段６は前記ＰＯＳ端末１のメニューデータの更新時やプログラムデータの更新時に読み出された前記ＰＯＳ端末１の呼出符号を呼出符号登録ファイル１０に登録し、前記ＰＯＳ端末１からの注文データの送信時に送信された呼出符号が前記呼出符号登録ファイル１０に登録されているかどうかを判別し、登録されていれば受信した注文データの処理を行い、登録されていなければ前記ＰＯＳ端末１に未登録である旨を知らせる未登録情報を送信することを特徴とする。
また、本発明は、客の注文データを入力して無線送信する複数のＰＯＳ端末１と、前記ＰＯＳ端末１から受信した注文データを処理する制御手段６とを備えたＰＯＳシステムにおいて、前記ＰＯＳ端末１はそれぞれに割り当てられた呼出符号を備え、注文データを無線送信するに先立って前記呼出符号を送信し、前記制御手段６は前記ＰＯＳ端末１のメニューデータの更新時やプログラムデータの更新時に読み出された前記ＰＯＳ端末１の呼出符号を呼出符号登録ファイル１０に登録し、前記ＰＯＳ端末１からの注文データ送信に先立って送信された呼出符号が前記呼出符号登録ファイル１０に登録されているかどうかを判別し、登録されていれば呼出符号の後に受信した注文データの処理を行い、登録されていなければ前記ＰＯＳ端末１に未登録である旨を知らせる未登録情報を送信することを特徴とする。
また、前記ＰＯＳ端末１は前記未登録情報を受信すると登録操作を促すアラームを備える。
【０００８】
【発明の実施の形態】
次に、本発明に実施の形態について説明する。図１は、本発明にかかるＰＯＳシステムの基本構成を示したブロック図である。図中１０は、ＰＯＳ端末から読み出した呼出符号を登録するための呼出符号登録ファイルである。
【０００９】
また、１は呼出符号を備え、客からの注文を入力しＰＯＳシステム側に向けて無線で送信を行うＰＯＳ端末、５はこのＰＯＳ端末からの呼出符号を有するデータを受信するための通信手段、２は前記ＰＯＳ端末１と直接接続し、呼出符号を読み出すと共に、メニューデータや新しいプログラムデータのインストール等を行うステーション、６は呼出符号の登録や照合、あるいは出力装置の管理やシステムのデータ管理等を行う制御手段である。その他の構成は、図４と同一であり、同一構成要素には同一符号を付し、説明を省略する。
【００１０】
ＰＯＳ端末１に備えられた呼出符号は、個々のＰＯＳ端末１毎に割り当てられる番号、文字、記号等の識別データである。そして、ＰＯＳ端末１のデータ等の更新の際に、この識別符号を登録しておき、ＰＯＳ端末１の使用に際し、そのＰＯＳ端末１から送られてくるデータが、既に登録されているものであるか否かを判断する。これにより、更新されていないＰＯＳ端末１を識別でき、更新漏れを防止できる。また、定期的な登録操作により在数の管理が容易となり、ＰＯＳ端末１の紛失も容易に発見できる。
【００１１】
次に、この様なＰＯＳシステムの動作について、図２のフローチャートに沿って説明する。ＰＯＳ端末１をステーション２に接続し、メニュー、プログラム等を更新する際、呼出符号を送信させる（Ｓ１）。ステーション２は個々のＰＯＳ端末１の呼出符号を読み出し、これを制御手段６に伝送する（Ｓ１１）。そして、制御手段６はステーション２により読み出された呼出符号を呼出符号登録ファイル１０に登録する（Ｓ１２）。登録された呼出符号は、ＰＯＳ３や制御手段６に接続されるキーボード等の入力手段１３を操作し（Ｓ１３）、検索、確認でき、登録済の呼出符号をリストとして出力手段４より発行させることができる（Ｓ１４）。
【００１２】
店舗内でＰＯＳ端末１は、客から注文を取り、これを入力する。入力の終えたデータは、ＰＯＳシステム側に向けての以下の送信操作により送出される（Ｓ２）。先ず、注文データ等の送信に先だってヘッダ部として、呼出符号を含むデータが送信される（Ｓ３）。制御手段６は通信手段５を介して、ＰＯＳ端末１から受信したデータから、呼出符号を抽出し、呼出符号登録ファイル１０を検索して該当する呼出符号の有無を調べる（Ｓ１６）。
【００１３】
呼出符号登録ファイル１０に、該当する呼出符号が無い場合には、そのＰＯＳ端末１は未登録であると判断し、未登録である旨の情報をＰＯＳ端末１に向けて送信する（Ｓ１７）。ＰＯＳ端末１は未登録情報を受信すると、アラーム等を発して、使用者に登録（更新）操作を促す。
【００１４】
呼出符号登録ファイル１０に、該当する呼出符号が発見された場合には、そのＰＯＳ端末は登録済みであると判断され、ＰＯＳ端末１より前記ヘッダ部に続き、注文データ等のデータ部が送信される（Ｓ４）。制御手段６は再び通信手段５を介して、ＰＯＳ端末１からデータを受信し、注文データを会計データや出力用のデータに変換するなどの処理を行う（Ｓ１８）。
【００１５】
この様にして、ＰＯＳ端末１の使用時に、登録の有無が判断され、更新漏れのあるＰＯＳ端末１が判別でき、在数の確認もできる。
【００１６】
次に、ＰＯＳ端末１のより具体的な構成例について説明する。図３は、ＰＯＳ端末１の内部構成を示したブロック図である。図中１１はプロセッサおよびその周辺部品からなる制御部、１２はＲＯＭ，ＲＡＭ等の記憶媒体からなる記憶部で、この記憶部１２には個々のＰＯＳ端末１にそれぞれ割り付けられた呼出符号１２ａ、プログラム１２ｂ、メニューデータ１２ｃ、テンポラリメモリ１２ｄが格納されている。この記憶部１２は、内部バス１８を介して制御部１１と接続され、情報の授受が行われるようになっている。
【００１７】
また、内部バス１８には、注文データなどを入力するためのキーボード等による入力部１３と、入力された注文データや、未登録のアラーム等を表示するためのＬＣＤ表示器等の表示部１４が接続されている。さらに、内部バス１８には、内蔵アンテナ１５ａを備え、ＰＯＳシステム側の通信手段５と、無線により接続するための通信部１５と、ステーション２と直接接続するための、ステーション用インターフェース部１６と、各部に電源を供給するための電源部１７が接続されている。
【００１８】
この様に、呼出符号１２ａは他のプログラム１２ｂ、メニューデータ１２ｃ等と同様に記憶部１に格納され、制御部１１により読み出され、通信部１５あるいはステーション用インターフェース部を介してＰＯＳシステム側の制御手段６へと送出される。
【００１９】
【発明の効果】
以上のように、本発明によれば、プログラム、メニューデータ更新時などにＰＯＳ端末を登録し、このＰＯＳ端末の使用の際に登録の有無を判断しているので、登録漏れ、つまり更新漏れのあるＰＯＳ端末を速やかに発見することができ、更新漏れのあるＰＯＳ端末が使用されることを防止できる。また、定期的に登録操作を行うことで、在数管理が容易となり、ＰＯＳ端末の紛失も容易に発見できる。さらに、ＰＯＳ端末の電源（２次電池）残量や故障の管理などを行うことができる。
【図面の簡単な説明】
【図１】本発明にかかるＰＯＳシステムの、基本構成を示すブロック図である。
【図２】本発明にかかるＰＯＳシステムの、動作を表したフローチャートである。
【図３】ＰＯＳ端末のより具体的な構成を示したブロック図である。
【図４】従来のＰＯＳシステムの基本構成を示したブロック図である。
【符号の説明】
１    ＰＯＳ端末
２    ステーション
３    ＰＯＳ
４    出力手段
５    通信手段
６    制御手段
７    通信線
１０    呼出符号登録ファイル
１１    制御部
１２    記憶部
１２ａ  呼出符号
１２ｂ  プログラム
１２ｃ  メニューデータ
１２ｄ  テンポラリメモリ
１３    入力部
１４    表示部
１５    通信部
１５ａ  内蔵アンテナ
１６    ステーション用インターフェース
１７    電源部
【図１】
0003773579.tif 000002
【図２】
0003773579.tif 000003
【図３】
0003773579.tif 000004
【図４】
0003773579.tif 000005